(57)【特許請求の範囲】
【請求項１】
一対のアームの間にウエブを巻くための２個の軸が回転自在に取り付けられ、この２個のうちウエブの巻き取りが終了間近の旧軸から、ウエブが巻かれていない新軸に、前記アームを回転させて交換するウエブの巻き取り装置において、
前記旧軸から前記新軸に交換する間に走行するウエブを収容して、前記新軸に供給するウエブの走行を停止させる収容部と、
前記停止中のウエブを前記新軸に押圧する押圧ロールと、
前記新軸の押圧位置から前記旧軸に向かう停止中のウエブを吸引して固定する吸引部と、
前記吸引部から前記旧軸の間にある停止中のウエブを幅方向に切断する切断部と、
前記切断されたウエブを前記吸引部によって吸引したまま、前記新軸をウエブの走行方向とは反対方向に回転させて、前記新軸の外周部にある接着部を前記押圧位置でウエブの先端部に貼り付ける反転制御部と、
ウエブの前記先端部を前記新軸に貼り付けた後、ウエブの走行を再開すると共に、ウエブの前記収容を停止し、前記新軸を再び走行方向に回転させて、前記新軸にウエブを巻き付ける正転制御部と、
を有するウエブの巻き取り装置。
【請求項２】
前記反転制御部は、前記新軸にある接着部の位置をセンサで検出し、
その検出位置に基づいて、前記新軸を反対方向に回転させる角度、または、時間を決定する、
請求項１記載のウエブの巻き取り装置。
【請求項３】
前記吸引部は、前記新軸の前記押圧位置の近傍まで延設されている、
請求項１記載のウエブの巻き取り装置。
【発明の詳細な説明】
【技術分野】
【０００１】
本発明は、ウエブの巻き取り装置に関するものである。
【背景技術】
【０００２】
従来より、フィルム、箔、紙等のウエブにおいて、乾燥、コーティング等の処理を施し、そのウエブを巻き取る装置が提案されている（例えば、特許文献１参照）。
【０００３】
この巻き取り装置は、２個の軸を持ち、ウエブの巻き取りが終了間近の旧軸から、ウエブが巻かれていない新軸に、これら軸を回転自在に支持するアームを回転させて交換することにより、走行するウエブを連続して巻き取ることができる。
【特許文献１】特開平５−１２４７５５号公報
【発明の開示】
【発明が解決しようとする課題】
【０００４】
上記のような巻き取り装置においては、旧軸に巻かれたウエブを切断するために、のこぎり刃状の刃で切断していたため、新軸に巻かれるウエブの切断部がジグザグとなり、その上にウエブが巻かれるウエブに跡形を付け、ウエブのロスとなるという問題点があった。
【０００５】
また、のこぎり刃状の刃で切断すると、ゴミが発生するという問題点があった。
【０００６】
さらに、ウエブをのこぎり刃状の刃とは異なる走行刃で新軸の上で切る方法もあるが、この方法であると新軸に傷が入ると共に、ゴミが発生するという問題点があった。
【０００７】
そこで、本発明は上記問題点に鑑み、新軸に巻かれるウエブの切断部が幅方向に沿って直線に切れ、かつ、新軸に傷を付けることがないウエブの巻き取り装置を提供する。
【課題を解決するための手段】
【０００８】
本発明は、一対のアームの間にウエブを巻くための２個の軸が回転自在に取り付けられ、この２個のうちウエブの巻き取りが終了間近の旧軸から、ウエブが巻かれていない新軸に、前記アームを回転させて交換するウエブの巻き取り装置において、前記旧軸から前記新軸に交換する間に走行するウエブを収容して、前記新軸に供給するウエブの走行を停止させる収容部と、前記停止中のウエブを前記新軸に押圧する押圧ロールと、前記新軸の押圧位置から前記旧軸に向かう停止中のウエブを吸引して固定する吸引部と、前記吸引部から前記旧軸の間にある停止中のウエブを幅方向に切断する切断部と、前記切断されたウエブを前記吸引部によって吸引したまま、前記新軸をウエブの走行方向とは反対方向に回転させて、前記新軸の外周部にある接着部を前記押圧位置でウエブの先端部に貼り付ける反転制御部と、ウエブの前記先端部を前記新軸に貼り付けた後、ウエブの走行を再開すると共に、ウエブの前記収容を停止し、前記新軸を再び走行方向に回転させて、前記新軸にウエブを巻き付ける正転制御部と、を有するウエブの巻き取り装置である。
【発明の効果】
【０００９】
本発明によれば、吸引部で停止中のウエブを吸引した状態で、切断部によってウエブを幅方向に切断するため、ウエブの幅方向に沿って切れ、かつ、新軸に傷が付くことがない。また、ゴミも発生することがない。
【００１０】
さらに、ウエブの切断後、その切断部を吸引部で保持した状態で新軸の接着部に接着するので、ウエブを新軸に歪みなく接着することができる。
【発明を実施するための最良の形態】
【００１１】
以下、本発明の一実施形態のウエブＷの巻き取り装置１０について図１〜図７に基づいて説明する。本実施形態のウエブＷは、例えばフィルム、箔、紙等である。
【００１２】
（１）巻き取り装置１０の構成
巻き取り装置１０の構成について図１及び図２に基づいて説明する。
【００１３】
巻き取り装置１０は、装置本体１２とダンサー装置１４と、アキューム装置１６とより構成されている。
【００１４】
装置本体１２は、支持台１８から立設された支持脚２０に支持軸２１が設けられ、４組のアーム２２、２４、２５、２７が支持軸２１を中心に９０度毎に取り付けられている。一対のアーム２２、２２には、ウエブＷを巻き取るための軸２６が回転自在に架設され、一対のアーム２４、２４には、ウエブＷを巻き取るための軸２８が回転自在に架設され、一対のアーム２５、２５には、ガイドロール３０が回転自在に架設され、一対のアーム２７、２７には、ガイドロール３２が回転自在に架設されている。以後の説明では分かり易くするために、軸２６を旧軸２６といい、軸２８を新軸２８という。
【００１５】
また、装置本体１２は、切断アーム３４を有している。この切断アーム３４は、ウエブＷを旧軸２６から新軸２８に交換するときに、待機位置から動作位置に移動して、ウエブＷを切断するものであり、ガイドロール３６、走行カッター３８、吸引部４０、第１押圧ロール４２を有している。
【００１６】
また、装置本体１２は、押圧アーム４４を有し、押圧アーム４４の先端部には第２押圧ロール４６を有している。この第２押圧ロール４６も、ウエブＷの切断時のみに待機状態から動作位置に移動する。
【００１７】
ダンサー装置１４は、第１固定ロール４８と移動ロール５０と第２固定ロール５２とから構成され、移動ロール５０の位置を検出することにより、ウエブＷの張力を制御する目的で旧軸２６または新軸２８またはアキューム装置１６の速度を調整する。
【００１８】
アキューム装置１６は、位置が固定された４個の固定ロール５４からなる固定ロール群５６と、上下方向に一体に移動する３個の移動ロール５８からなる移動ロール群６０とからなる。このアキューム装置１６は、移動ロール群６０を下方に移動させることにより所定量のウエブＷを収容することができる。
【００１９】
（２）巻き取り装置１０の動作の概要
まず、巻き取り装置１０の動作の概要について図１及び図２に基づいて説明する。
【００２０】
熱処理等が終了したウエブＷがアキューム装置１６、ダンサー装置１４を経て旧軸２６に巻かれている。この場合、旧軸２６は所定の速度で回転してウエブＷを巻き付けている。そして、この巻き付け量をセンサーで検知し、基準値を超えると満巻状態になったと判断し、アーム２２、２４、２５、２７を反時計方向に支持軸２１を中心に回転させる。
【００２１】
次に、切断アーム３４を待機位置と押圧アーム４４とをそれぞれ待機位置から動作位置に移動させる。
【００２２】
次に、アキューム装置１６とダンサー装置１４を用いて熱処理装置から供給される走行中のウエブＷを収容し、装置本体１２に供給されるウエブＷの走行を停止させる。この場合、アキューム装置１６の移動ロール群６０を下げることによりウエブＷの収容量が増大し、さらに、その収容量の微調整を行う場合にはダンサー装置１４の移動ロール５０の位置信号により収容量を調整する。
【００２３】
次に、切断アーム３４において、吸引部４０がウエブＷを吸引した後、走行カッター３８でウエブＷを幅方向に切断する。
【００２４】
次に、新軸２８を走行方向とは反対方向に回転させ、新軸２８の外周部にある接着部６２にウエブＷの切断部の先端を貼り付け、再び走行方向に回転させて新軸２８にウエブＷを巻き付けていく。このとき、アキューム装置１６のウエブＷを収容する作業を終了する。ダンサー装置１４は、新軸２８へ位置信号を出力し、新軸２８の回転速度を調整する。
【００２５】
以上のような動作を行うことにより、旧軸２６に巻かれているウエブＷを、アキューム装置１６より前方のウエブＷの走行を停止させることなく新軸２８に巻き付けることができる。
【００２６】
（３）ウエブＷを切断するときの詳細な説明
次に、上記のウエブＷを切断するときの詳細な説明について図３〜図７に基づいて説明する。
【００２７】
第１の工程において、図３に示すように、ダンサー装置１４とアキューム装置１６の動作により、ウエブＷの走行が停止した状態で、ウエブＷは新軸２８に掛け渡されている。このとき、新軸２８に、ウエブＷが第１押圧ロール４２と第２押圧ロール４６によって押圧され、新軸２８から旧軸２６に向かうウエブＷはガイドロール３６を経て旧軸２６に向かっている。また、このとき新軸２８は回転を停止し、その外周部に接着部６２が設けられている。
【００２８】
第２の工程において、ガイドロール３６と第１押圧ロール４２の間にある停止しているウエブＷを吸引部４０によって吸引して固定する。
【００２９】
第３の工程において、図４に示すように、吸引部４０で固定されているウエブＷについて、吸引部４０とガイドロール３６の間にある部分を、走行カッター３８によって幅方向に切断する。このとき、ウエブＷが停止し、かつ、吸引部４０で固定しているために幅方向に沿って直線に切断することができ、斜めになったりすることがない。また、走行路中での切断のため、従来のように新軸２８を傷付けたりすることがない。
【００３０】
第４の工程において、図５と図６に示すように、切断されたウエブＷを走行方向とは反対方向に移動させると共に、新軸２８を走行方向とは反対方向に回転させる。これによって、接着部６２がウエブＷの方向に回転し、第１押圧ロール４２と新軸２８との間に接着部６２が位置したときに、ウエブＷの切断部の先端に接着部６２が押圧され、新軸２８にウエブＷの切断部の先端が固定される。また、このとき吸引部４０はウエブＷの切断部は吸引したまま、走行方向とは反対方向に移動させる。これによりウエブＷの切断部が垂れ下がることがなく、ウエブＷの切断部の先端に接着部６２を貼り付けることができる。これを実現するため、吸引部４０の後端部は、第１押圧ロール４２と新軸２８との接触部の近傍まで延設しておく。そして、ウエブＷの切断部の先端が吸引部４０から外れると吸引部４０の吸引を停止する。なお、新軸２８を反対方向に回転させるときには、接着部６２を光センサーやその他の位置検出位置で検出し、この接着部６２が第１押圧ロール４２の位置を通過した状態まで回転させるように回転角度、または、回転時間を設定する。
【００３１】
次に、第５の工程において、図７に示すように、再び新軸２８を走行方向に回転させると共に、ダンサー装置１４及びアキューム装置１６の収容を解除し、ウエブＷを通常の速度で走行させる。これにより、新軸２８にウエブＷが巻き付き始める。なお、このときに押圧アーム４４と切断アーム３４とは待機位置に移動させる。
【００３２】
（４）効果
以上により本実施形態の巻き取り装置１０であると、旧軸２６に向かうウエブＷを切断する場合に、吸引部４０でウエブＷを固定した後に、走行カッター３８でウエブＷの幅方向に沿って直線に切断するため、従来のようにジクザグ状にならず、また、幅方向に沿って直線に切断することができ、ウエブＷの切断部の先端を新軸２８に接着することができる。そのため、このウエブＷを新軸２８に皺が発生することなく巻き付けることができ、ウエブＷのロスを最小にすることができる。
【００３３】
また、走行路中でウエブＷを切断するため、新軸２８に傷が付くことがなく、ゴミが発生したりすることもない。
【００３４】
さらに、ウエブＷの切断後、その切断部を吸引部４０で保持した状態で新軸２８の接着部６２に接着するので、ウエブＷを新軸２８に歪みなく接着することができる。
【００３５】
（５）変更例
本発明は上記各実施形態に限らず、その主旨を逸脱しない限り種々に変更することができる。
【図面の簡単な説明】
【００３６】
【図１】本発明の一実施形態の巻き取り装置の説明図であって、旧軸にウエブＷを巻き付けている状態である。
【図２】同じく旧軸から新軸に交換している状態の説明図である。
【図３】第１の工程における新軸付近の拡大図である。
【図４】第３の工程の新軸付近の拡大図である。
【図５】第４の工程の前半部分の新軸付近の拡大図である。
【図６】第４の工程の後半部分の新軸付近の拡大図である。
【図７】第５の工程の新軸付近の拡大図である。
【符号の説明】
【００３７】
Ｗ  ウエブ
１０  巻き取り装置
１２  装置本体
１４  ダンサー装置
１６  アキューム装置
２２  アーム
２６  旧軸
２８  新軸
３０  ガイドロール
３２  ガイドロール
３６  ガイドロール
３８  走行カッター
４０  吸引部
４２  第１押圧ロール
４６  第２押圧ロール
【図１】
0004944004.tif 000002
【図２】
0004944004.tif 000003
【図３】
0004944004.tif 000004
【図４】
0004944004.tif 000005
【図５】
0004944004.tif 000006
【図６】
0004944004.tif 000007
【図７】
0004944004.tif 000008